(57)【要約】      （修正有）【課題】所望の位置に簡単に移動設置できる移動可能な温浴建物を提供する。【解決手段】枠組１８の上方には天井部１１を介して屋根部１９を、また立設する各支柱間１３には左，右側壁面と前，後壁面とを有し、かつ前壁面には出入口扉２４を設けると共に、耐水性の合板からなる底板を設置して移動可能な簡易建物を形成し、温浴建物１０の内部は、床暖房用ボイラ２６、脱衣室、温浴室とに区分した。所望位置に移動して設置するには、建物の屋根部に設けた移動・運搬用の吊り上げフック６０を利用して持ち上げ運搬する。【選択図】図４
0003109332.tif 000002
【実用新案登録請求の範囲】
【請求項１】
木材，鉄骨材，プラスチック材等の主要構造材を所定の間隔で配設して矩形直方体状に枠組構成し、前記枠組の上方には天井部を介して屋根部を、また立設する各支柱間には左，右側壁と前，後壁とを有し、かつ前壁には出入口扉を設けると共に、耐水性の合板からなる底板を設置して移動可能な簡易建物を形成し、前記温浴建物の内部は、出入口扉に続く床暖房用ボイラが設置された脱衣室と、内部出入口扉を設けた仕切り壁に隣接して温浴室とに区分し、前記底板上面には断熱材を介して熱線反射防水シート，金属メッシュ、床暖房用配管、金属メッシュ、ブラックシリカを骨材としたコンクリート板を積層設置し、かつ前記コンクリート板の上面にはブラックシリカ板及び敷石を、それぞれ上面が前記コンクリート上面と面一となるように埋め込み配設し、前記床暖房用ボイラの駆動により温水を床暖房用配管に循環させて室温を所定の室温とし、かつ前記床面に対する散水により温室内の湿度を前記室温に対応させた所定の湿度に維持できるようにしたことを特徴とする移動可能な温浴建物。
【請求項２】
前記床面に敷設されるブラックシリカを骨材としたコンクリート板は、該コンクリート板に混在するブラックシリカの混入割合を下層部より上層部に多く混入したものであることを特徴とする請求項１に記載の移動可能な温浴建物。
【請求項３】
前記ブラックシリカ板は、ブラックシリカをセメントで固め、所定の厚さにスライスした後で、表面を研磨仕上げしたものであることを特徴とする請求項１に記載の移動可能な温浴建物。
【請求項４】
前記温浴室内を床面より立設して固定された衝立で部分的に仕切り、各仕切室の床面となるブラックシリカを骨材としたコンクリート板の上面には長手方向に所定の間隔で上面を面一とした前記ブラックシリカ板を配設したことを特徴とする請求項１に記載の移動可能な温浴建物。
【請求項５】
前記室温を３５℃〜１００℃の室温とし、かつ前記床面に対する散水により温室内の湿度を３０〜８０％に維持したことを特徴とする請求項１に記載の移動可能な温浴建物。
【考案の詳細な説明】
【技術分野】
【０００１】
本考案は、移動可能な温浴建物に係り、特に密閉可能な温浴建物全体を組立てが容易な小型に設計すると共に、温浴建物内に温浴に必要とされる温床設備機器類等の基材を設置して組立てられた温浴建物を所望の位置に簡単に移動可能とし、或いは設置現場での組立てが容易な移動可能な温浴建物に関するものである。
【背景技術】
【０００２】
最近、温泉地では、温浴室の床下内部に配管を敷設して配管内に温水を循環させ、加熱された床面上や、地熱によって暖められた岩盤上にゴザやタオル等を敷き、その上に横になって体を暖める温浴が行われている。特に岩盤浴では、岩盤から伝わる熱や電磁波等によって暖められ、流れ出る大量の汗と共に体内の老廃物や毒素等を効果的に排出させることができ、健康増進や体質改善に高い効能があることが認められているが、岩盤浴に適した温度に保つことができて、しかも健康の増進に効果のある天然の岩盤は、我が国内の極限られた場所にしか存在しておらず、誰もが日常的な施設として利用することができない状況にある。
【０００３】
そのため、この岩盤浴を気軽に利用できるようにしようとする技術が、例えば特開２００１一 ９５８８９号公報、特開平８ −１２４０６号公報に開示されている。前述の従来技術によれば、何れもボイラによって加熱可能とした暖房用の配管を温浴室内床下に埋設状態とし、その床面には自然石や自然石のような遠赤外線を照射可能な素材を混入状としたコンクリート体、あるいは砂利や砂等を敷設して暖めるようにした構造のものであって、これら既に提案のある従前からの人工的な施設によっても、温泉地にある天然の岩盤を利用した温浴効果に近い効能を得ることができるとされている。
【特許文献１】特開２００１−９５８８９号公報
【特許文献２】特開平０８−１２４０６号公報
【考案の開示】
【考案が解決しようとする課題】
【０００４】
しかしながら、前述のように温浴室内の床面下に配管を埋設状態としたり、自然石を使った従前からの浴場施設は、設置位置が限られた場所に限定されており、この浴場施設を簡単に移動したり、簡易に所望場所において組立て設置することは不可能であり、日常的な施設として容易に利用することができない状況にある。
【０００５】
本考案は、全体を組立てが容易な小型建物に設計すると共に、温浴建物内に温浴に必要とされる温浴設備機器類等の基材をすべて組み込むと共に、特に密閉可能な温浴室の床面を、ブラックシリカを骨材としたコンクリート板及びブラックシリカだけをセメントで固めて、これを所定の厚さにスライスし、表面を磨いたブラックシリカ板と床暖房配管とを備えた構成とすることにより、従来の自然石温床と近似する床面を有する温浴建物を構成し、自宅等の所望の場所で気軽に利用可能とした移動設置可能な温浴建物を提供することを目的とする。
【課題を解決するための手段】
【０００６】
木材，鉄骨材，プラスチック材等の主要構造材を所定の間隔で配設して矩形直方体状に枠組構成し、前記枠組の上方には天井部を介して屋根部を、また立設する各支柱間には左，右側壁と前，後壁とを有し、かつ前壁には出入口扉を設けると共に、耐水性の合板からなる底板を設置して移動可能な簡易建物を形成し、前記温浴建物の内部は、出入口扉に続く床暖房用ボイラが設置された脱衣室と、内部出入口扉を設けた仕切り壁に隣接して温浴室とに区分し、前記底板上面には断熱材を介して熱線反射防水シート，金属メッシュ、床暖房用配管、金属メッシュ、ブラックシリカを骨材としたコンクリートを積層設置し、かつ前記コンクリート板の上面にはブラックシリカ板及び敷石を、それぞれ上面が前記コンクリート板上面と面一となるように埋め込み配設し、前記床暖房用ボイラの駆動により温水を床暖房用配管に循環させて室温を所定の室温とし、かつ前記床面に対する散水により温室内の湿度を前記室温に対応させた所定の湿度に維持できるようにしたことを特徴とする。
【０００７】
本願の請求項２の考案は、請求項１に記載の移動可能な温浴建物において、前記床面に敷設されるブラックシリカを骨材としたコンクリート板は、該コンクリート板に混在するブラックシリカの混入割合を下層部より上層部に多く混入したものであることを特徴とする。
【０００８】
本願の請求項３の考案は、請求項１に記載の移動可能な温浴建物において、前記ブラックシリカ板は、ブラックシリカをセメントで固め、所定の厚さにスライスした後で、表面を研磨仕上げしたものであることを特徴とする。
【０００９】
本願の請求項４の考案は、請求項１に記載の移動可能な温浴建物において、前記温浴室内を床面に立設して固定された衝立で部分的に仕切り、各仕切室の床面となるブラックシリカを混在したコンクリート板上面には長手方向に所定の間隔で上面を面一とした前記ブラックシリカ板を配設したことを特徴とする。
【００１０】
本願の請求項５の考案は、請求項１に記載の移動可能な温浴建物において、前記室温を３５℃〜１００℃の室温とし、かつ前記床面に対する散水により温室内の湿度を３０〜８０％に維持したことを特徴とする。
【考案の効果】
【００１１】
本考案は、温浴建物内に温浴に必要とされる温浴設備機器類等の基材をすべて組み込むと共に、特に温浴室の床面を、ブラックシリカを骨材としたコンクリート板及びブラックシリカだけをセメントで固めて、これを所定の厚さにスライスし、表面を磨いたブラックシリカ板と床暖房配管とを備えた構成とすることで、温浴建物を工場等で組み立て、これを所望位置に移動設置することが容易にできる。
【００１２】
また、温浴室内を前記床暖房用ボイラの駆動により温水を床暖房用配管に循環させて、室温を所定の室温、例えば３５℃〜１００℃とし、かつ前記床面に対する散水により温室内の湿度を所定の湿度、例えば３０〜８０％の湿度に維持できるようにしたので、従来の自然石温床と近似する床面を有する温浴建物を構成し、自宅等の所望場所で気軽に利用可能とした移動設置可能な温浴建物を提供できる。
【００１３】
さらに、温浴室の床面を、ブラックシリカを骨材としたコンクリート板及びブラックシリカだけをセメントで固めて、これを所定の厚さにスライスし、表面を磨いたブラックシリカ板を配設した構成としたので、天然ミネラルを多く含み、遠赤外線マイナスイオンなどさまざまな活性波動を放射発散し、人体に対し健康増進の効能を提供できる。
【００１４】
さらにまた、数億年の間海底の珪藻類が堆積して出来たとされる天然鉱石であるブラックシリカ（黒鉛珪石）は、太陽エネルギーを吸収して半永久的に放射することを繰り返すといわれており人体に対する下記効能が期待できる。
１）遠赤外線による効果
遠赤外線による波長は、人体や動植物を構成している物質の共鳴吸収波長域を
担当し、生態の細胞を活発にする生育光線を放射する。
２）宇宙エネルギー治癒波動（修正波動）による効果
病気に冒された細胞は非常に乱れた波動を放射していますが、修正波動と呼ば
れる正常な波動を送り込むことで、乱れた波動を徐々に修正し、健康を回復さ
せる。
３）マイナスイオンによる効果
マイナスイオンは、血液を浄化し、細胞の新陳代謝を活発にすると共に、自律
神経の働きを良くする効果ある。
４）磁気エンルギーによる効果
ブラックシリカには磁鉄鉱が含まれており、磁気エネルギーが放射されている。
したがって、各種のミネラルを含み、水に浸漬するとミネラル効果が期待でき、
悪臭を徐去し、有害物質を吸収する。
【考案を実施するための最良の形態】
【００１５】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【実施例１】
【００１６】
図１は本考案に係る移動可能な温浴建物の一実施例を示す正面図であり、図２は図１の背面図、図３は側面図、図４は図３のＡ−Ａ線水平断面図、図５は図４のＢ−Ｂ線に沿った要部拡大縦断面図である。
【００１７】
図１乃至図５に示すように、本考案に係る移動可能な温浴建物１０ は、木材，鉄骨材，プラスチック材等の主要構造材により、矩形状の天井部１１及び床部１２を形成し、前記天井部１１及び床部１２の角隅部にはそれぞれ支柱１３を立設すると共に、各支柱１３間にはそれぞれ所定の間隔で配設した前面，後面部１４，１５及び左，右側面部１６，１７を構成する支柱１３ａがそれぞれ固着されて、矩形直方体状の枠組１８を構成し、前記枠組１８の上方には天井部１１を介して切妻形状の屋根部１９を、また立設する各支柱１３間の左，右側面部１６，１７には左，右側壁２０，２１と前，後壁２２，２３とを形成し、かつ前壁２２には出入口扉２４を密閉状態に取り付け、前記床部１２には耐水性の合板からなる底板２５（図５参照）を設置して移動可能な温浴建物１０の外形を形成する。
【００１８】
前記温浴建物１０の内部は、出入口扉２４に続く床暖房用ボイラ２６，ベンチ２７ａが設置された脱衣室２７と、内部出入口扉２４ａを設けた仕切り壁２２ａに隣接して温浴室２８が設けられている。
前記底板２５上面には、図５によく示されるように、断熱材２９を介して熱線反射防水シート３０，金属メッシュ３１、床暖房用配管３２、金属メッシュ３１、ブラックシリカを混在したコンクリート板３３を積層設置し、かつコンクリート板３３の上面にはブラックシリカ板３４及び敷石３５を上面が前記コンクリート板３３の上面と面一となるように埋め込み配設してある。
【００１９】
前記コンクリート板３３は、コンクリートの骨材にブラックシリカを混在して形成した材質からなり、ブラックシリカの混入割合を下層部３３ａより上層部３３ｂに多く混入したものである。
また、前記ブラックシリカ板３４は、ブラックシリカをセメントで固め、所定の厚さにスライスした後で、表面を研磨仕上げした、一辺がほぼ５０〜６０ｃｍ角の矩形状の板材である。
【００２０】
さらに、前記敷石３５は、床面となる前記コンクリート板３３の長手方向側壁内面に沿って形成された凹部３５ａに床面と面一になるように敷き詰められた玉砂利からなり、前記床暖房用配管３２により暖められ、水をかけることで、このかけ水が霧状になって温浴室内の湿度を上げるようになっている。
前記敷石３５の敷設は、前記実施例に限定されることなく、所望によって、前記ブラックシリカ板３４を囲むように床面の前後，左右に設けることも勿論可能である。
【００２１】
３６は、前記温浴室内の床面である前記コンクリート板３３の長手方向に立設して固定された衝立で、この衝立３６は、前記ブラックシリカ板３５を長手方向に沿って所定の間隔で並列に敷設された中間部を部分的に仕切り、各横臥室４０，４１を形成したものである。
【００２２】
本考案の前記左，右側壁２０，２１と前，後壁２２，２３の構造は、建物の角隅部に立設した支柱１３および各支柱１３間にそれぞれ所定の間隔で配設した前面，後面部１４，１５及び左，右側面部１６，１７を構成する支柱１３ａの内面側に上下方向に間隔を設けて横架した木下地５０が配設され、該木下地５０内面側には前記内面側より外側に向けて、内壁面となるバスパネル５１，防水シート５２及び耐水性合板５３が、また、木下地５０を内在して外側に向けて断熱材５と断熱外装材５５とが積層されて構成されている。  なお、前記後壁２２の上方位置には換気扇４３が取り付けられている。
【００２３】
前記床暖房用ボイラ２６は灯油を燃焼させることで温水を床暖房用配管３２に循環させて室温を３５℃〜１００℃の範囲、好ましくは４５℃に維持し、かつ前記床面に敷設された前記敷石３５に散水することにより温室内の湿度を３０〜８０％、好ましくは６０％に維持できるようになっている。
【００２４】
また、本考案に係る移動可能な温浴建物を所望位置に移動して設置するには、建物の屋根部に設けた移動・運搬用の吊り上げフック６０を利用して持ち上げ運搬することが可能であり、設置の際は、整地した地面に水平に配置したブロック等の上部に載置するか、コンクリートを打設した基礎面にアンカーボルトを設け、このアンカーボルトと床部１２の枠材を締結するようにしてもよい。
【００２５】
以上のように構成された本考案に係る移動可能な温浴建物を使用する場合は、前記床暖房用ボイラ２６の灯油を燃焼させることで温水を床暖房用配管３２に循環させて室温を３５℃〜１００℃の範囲に維持し、かつ前記床面に敷設された前記敷石３５に散水することにより温室内の湿度を３０〜８０％に維持した後、前記ブラックシリカ板３５を長手方向に沿って所定の間隔で並列に敷設した中間部横臥室４０にタオル等の敷物を敷いて、横臥体勢で温浴を行うようにするものである。
【図面の簡単な説明】
【００２６】
【図１】図１は本考案に係る移動可能な温浴建物の一実施例を示す正面図、
【図２】図２は本考案に係る移動可能な温浴建物の一実施例を示す背面図、
【図３】図３は図１の側面図、
【図４】図４は図３のＡ−Ａ線に沿った水平断面図、
【図５】図５は図４のＢ−Ｂ線に沿った要部拡大縦断面図である。
【符号の説明】
【００２７】
１０      温浴建物
１１      天井部
１２      床部
１３      支柱
１４，１５    前面，後面部
１６，１７    左，右側面部
１８      枠組
１９      屋根部
２０，２１    左，右側壁
２２，２３    前，後壁
２４      出入口扉
２４ａ    内部出入口扉
２５      底板
２６      床暖房用ボイラ
２７      脱衣室
２８      温浴室
２９      断熱材
３０      熱線反射防水シート
３１      金属メッシュ
３２      床暖房用配管
３３      コンクリート板
３４      ブラックシリカ板
３５      敷石
３６      衝立
４０，４１    横臥室
５０      木下地
５１      バスパネル
５２      防水シート
５３      耐水性合板
５４      断熱材
５５      断熱外装材
４３      換気扇
６０      吊り上げフック
【図１】
0003109332.tif 000003
【図２】
0003109332.tif 000004
【図３】
0003109332.tif 000005
【図４】
0003109332.tif 000006
【図５】
0003109332.tif 000007
【手続補正書】
【提出日】平成16年11月30日(2004.11.30)
【手続補正１】
【補正対象書類名】実用新案登録請求の範囲
【補正対象項目名】全文
【補正方法】変更
【補正の内容】
【実用新案登録請求の範囲】
【請求項１】
木材，鉄骨材，プラスチック材等の主要構造材を所定の間隔で配設して矩形直方体状に枠組構成し、前記枠組の上方には天井部を介して屋根部を、また立設する各支柱間には左，右側壁と前，後壁とを有し、かつ前壁には出入口扉を設けると共に、耐水性の合板からなる底板を設置して移動可能な簡易な温浴建物を形成し、前記温浴建物の内部は、出入口扉に続く床暖房用ボイラが設置された脱衣室と、内部出入口扉を設けた仕切り壁に隣接して温浴室とに区分し、前記底板上面には断熱材を介して熱線反射防水シート，金属メッシュ、床暖房用配管、金属メッシュ、ブラックシリカを骨材としたコンクリート板を積層設置し、かつ前記コンクリート板の上面にはブラックシリカ板及び敷石を、それぞれ上面が前記コンクリート上面と面一となるように埋め込み配設し、前記床暖房用ボイラの駆動により温水を床暖房用配管に循環させて室温を所定の室温とし、かつ前記床面に対する散水により温室内の湿度を前記室温に対応させた所定の湿度に維持できるようにしたことを特徴とする移動可能な温浴建物。
【請求項２】
前記床面に敷設されるブラックシリカを骨材としたコンクリート板は、該コンクリート板に混在するブラックシリカの混入割合を下層部より上層部に多く混入したものであることを特徴とする請求項１に記載の移動可能な温浴建物。
【請求項３】
前記ブラックシリカ板は、ブラックシリカをセメントで固め、所定の厚さにスライスした後で、表面を研磨仕上げしたものであることを特徴とする請求項１に記載の移動可能な温浴建物。
【請求項４】
前記温浴室内を床面より立設して固定された衝立で部分的に仕切り、各仕切室の床面となるブラックシリカを骨材としたコンクリート板の上面には長手方向に所定の間隔で上面を面一とした前記ブラックシリカ板を配設したことを特徴とする請求項１に記載の移動可能な温浴建物。
【請求項５】
前記室温を３５℃〜１００℃の室温とし、かつ前記床面に対する散水により温室内の湿度を３０〜８０％に維持したことを特徴とする請求項１に記載の移動可能な温浴建物。
【手続補正２】
【補正対象書類名】明細書
【補正対象項目名】０００６
【補正方法】変更
【補正の内容】
【０００６】
木材，鉄骨材，プラスチック材等の主要構造材を所定の間隔で配設して矩形直方体状に枠組構成し、前記枠組の上方には天井部を介して屋根部を、また立設する各支柱間には左，右側壁と前，後壁とを有し、かつ前壁には出入口扉を設けると共に、耐水性の合板からなる底板を設置して移動可能な簡易な温浴建物を形成し、前記温浴建物の内部は、出入口扉に続く床暖房用ボイラが設置された脱衣室と、内部出入口扉を設けた仕切り壁に隣接して温浴
室とに区分し、前記底板上面には断熱材を介して熱線反射防水シート，金属メッシュ、床暖房用配管、金属メッシュ、ブラックシリカを骨材としたコンクリートを積層設置し、かつ前記コンクリート板の上面にはブラックシリカ板及び敷石を、それぞれ上面が前記コンクリート板上面と面一となるように埋め込み配設し、前記床暖房用ボイラの駆動により温水を床暖房用配管に循環させて室温を所定の室温とし、かつ前記床面に対する散水により温室内の湿度を前記室温に対応させた所定の湿度に維持できるようにしたことを特徴とする。